(57)【要約】      （修正有）【課題】釣竿を保持することができ、前側に倒れにくい四脚を提供する。【解決手段】ベース板１０と、ベース板１０の裏面１１ｂに配設されて右及び左斜め前方に開放される２本の前の脚部４０Ａと右及び左斜め後方に開放される２本の後の脚部４０Ｂと、ベース板１０の裏面１１ｂに固定されて、４本の脚部４０の基端部４１ａをそれぞれ揺動自在に支持するとともに、４本の脚部４０の開閉方向及び開放限度を規制する４個の規制部材２０と、ベース板１０の表面１２ａに立設されて竿保持具２を略左右方向に揺動可能に支持する支持軸３０と、を備える。支持軸３０は、ベース板１０における、４個の規制部材２０の中心Ｃよりも後方に配置されている。【選択図】図１
0003158482.tif 000002
【実用新案登録請求の範囲】
【請求項１】
釣竿を保持する竿保持具が装着される四脚において、
ベース板と、
前記ベース板の裏面に配設されて右及び左斜め前方に開放される２本の前の脚部と右及び左斜め後方に開放される２本の後の脚部と、
前記ベース板の裏面に固定されて、４本の前記脚部の基端部をそれぞれ揺動自在に支持するとともに、４本の前記脚部の開閉方向及び開放限度を規制する４個の規制部材と、
前記ベース板の表面側に立設されて前記竿保持具を略左右方向に揺動可能に支持する支持軸と、を備え、
前記支持軸は、前記ベース板における、４個の前記規制部材の中心よりも後方に配置されている、
ことを特徴とする四脚。
【請求項２】
４本の前記脚部は、基端側が前記規制部材によって支持される主脚と、前記主脚によってスライド可能に支持されて前記主脚の先端からの突出長さを変更する補助脚と、アンロックにより前記補助脚のスライドを許容し、ロックにより前記補助脚のスライドを禁止するロック部材と、を有し、
前記補助脚の前記突出長さが最大の際の４本の前記脚部の全長を最大長としたときに、
２本の前記前の脚部の最大長が、２本の前記後の脚部の最大長よりも長い、
ことを特徴とする請求項１に記載の四脚。
【請求項３】
４本の前記脚部の前記主脚の長さが同じに設定されている、
ことを特徴とする請求項２に記載の四脚。
【請求項４】
前記ベース板は、裏面に前記規制部材が固定されている部分の表面側に、４本の前記脚部を同長さで開いてそれぞれの先端を平らな設置面に置いた際に略水平となる平坦面を有し、前記平坦面の後方に連続して後端側が高くなるように傾斜され、４本の前記脚部を最大長に延ばして開いてそれぞれの先端を前記設置面に置いた際に略水平となる傾斜面を有し、
前記支持軸は、前記傾斜面に垂直に立設されている、
ことを特徴とする請求項２又は３に記載の四脚。
【請求項５】
前記ベース板は、前記傾斜面の裏面側における前記支持軸に対応する部分に、錘を吊り下げるための透孔を有する錘取り付け板が設けられている、
ことを特徴とする請求項４に記載の四脚。
【請求項６】
請求項１ないし５のいずれか１項に記載の四脚と、前記四脚に装着される竿保持具と、を備えた竿保持セットにおいて、
前記竿保持具は、前記四脚の前記支持軸によって回転可能に支持されたホルダと、
前記ホルダによって上下方向の傾斜角度が調整可能に支持されたアームと、を備え、
前記アームは、後端側に前記釣竿の基端部が係合される後受け部を有し、前端側に前記釣竿の中間部が係合される前受け部を有する、
ことを特徴とする竿保持セット。
【請求項７】
請求項１ないし５のいずれか１項に記載の四脚と、前記四脚に左右方向を向けて装着される棒状の支持部材と、前記支持部材に装着される複数の竿保持具と、を備えた竿保持セットにおいて、
前記支持部材は、左右方向の中間部を前記四脚の前記支持軸によって揺動自在に支持されるとともに、前記中間部を基準に振り分けられた位置にそれぞれ立設された複数の副支持軸を有し、
前記竿保持具は、前記支持部材の前記副支持軸によって回転可能に支持されたホルダと、
前記ホルダによって上下方向の傾斜角度が調整可能に支持されたアームと、を備え、
前記アームは、後端側に前記釣竿の基端部が係合される後受け部を有し、前端側に前記釣竿の中間部が係合される前受け部を有する、
ことを特徴とする竿保持セット。
【考案の詳細な説明】
【技術分野】
【０００１】
本考案は、釣竿を保持する竿保持具が装着される四脚、及び竿保持セットに関する。
【背景技術】
【０００２】
防波堤等の平坦な場所や岩場等の凹凸のある場所で釣りをする際に、釣竿を保持する道具として三脚が提案されている（例えば、特許文献１参照）。
また、三脚よりも安定性に優れる四脚が使用されることもある。
【先行技術文献】
【特許文献】
【０００３】
【特許文献１】特開２００４−８９１０４号公報
【考案の概要】
【考案が解決しようとする課題】
【０００４】
しかしながら、三脚又は四脚は、基端側から先端側に長く延びる釣竿の基端部近傍を保持するため、全体の重心が、三脚又は四脚における前方に片寄った部分に位置する。このため、三脚又は四脚は例えば、強い風等によって、前側に倒れるおそれがある。
【０００５】
本考案は、上述した事情に鑑みてなされたものであり、前側に倒れにくくした四脚を提供することを目的とする。
【課題を解決するための手段】
【０００６】
上記目的を達成するために、本考案は、釣竿を保持する竿保持具が装着される四脚において、ベース板と、前記ベース板の裏面に配設されて右及び左斜め前方に開放される２本の前の脚部と右及び左斜め後方に開放される２本の後の脚部と、前記ベース板の裏面に固定されて、４本の前記脚部の基端部をそれぞれ揺動自在に支持するとともに、４本の前記脚部の開閉方向及び開放限度を規制する４個の規制部材と、前記ベース板の表面側に立設されて前記竿保持具を略左右方向に揺動可能に支持する支持軸と、を備え、前記支持軸は、前記ベース板における、４個の前記規制部材の中心よりも後方に配置されている、ことを特徴とする。
【０００７】
この構成によれば、竿保持具を支持する支持軸が、４個の規制部材の中心よりも後方に配置されているので、その分、全体の重心を後方に移動させることができる。これにより、釣竿を保持した状態の竿保持具を支持軸によって支持した際に、四脚が前側に倒れにくいようにすることができる。
【０００８】
上記構成において、４本の前記脚部は、基端側が前記規制部材によって支持される主脚と、前記主脚によってスライド可能に支持されて前記主脚の先端からの突出長さを変更する補助脚と、アンロックにより前記補助脚のスライドを許容し、ロックにより前記補助脚のスライドを禁止するロック部材と、を有し、前記補助脚の前記突出長さが最大の際の４本の前記脚部の全長を最大長としたときに、２本の前記前の脚部の最大長が、２本の前記後の脚部の最大長よりも長くなるようにしてもよい。
【０００９】
この構成によれば、４本の脚部を最大長とすることにより、２本の前の脚部の方が２本の後の脚部よりも長くなるので、特に脚部の長さの微調整等を行うことなく、簡単な動作で、前側に倒れにくい四脚の姿勢を簡単に構成することができる。
【００１０】
上記構成において、４本の前記脚部の前記主脚の長さが同じに設定されている、ようにしてもよい。
【００１１】
この構成によれば、４本の主脚を同様に作製することができるので、前の主脚と後の主脚とで長さが異なる場合と比較して、部品点数を少なくして、構成を簡略化することができる。なお、４本の主脚を同長さとすることにより、前の脚部の補助脚の突出長さが、後の脚部の補助脚の突出長さよりも長くなる。
【００１２】
上記構成において、前記ベース板は、裏面に前記規制部材が固定されている部分の表面側に、４本の前記脚部を同長さで開いてそれぞれの先端を平らな設置面に置いた際に略水平となる平坦面を有し、前記平坦面の後方に連続して後端側が高くなるように傾斜され、４本の前記脚部を最大長に延ばして開いてそれぞれの先端を前記設置面に置いた際に略水平となる傾斜面を有し、前記支持軸は、前記傾斜面に垂直に立設されている、ようにしてもよい。
【００１３】
この構成によれば、４本の脚部を最大長に延ばしたときに、設置面に対して支持軸が垂直になるので、支持軸によって支持された、釣竿を保持した竿保持具を揺動（回転）させたときに、支持軸が垂直でない場合と異なり、揺動（回転）による釣竿の高さ変化がないので、円滑に回転させることができ、また、釣竿に、支持軸を中心として揺動（回転）させる不要なモーメントが作用することがない。
【００１４】
上記構成において、前記ベース板は、前記傾斜面の裏面側における前記支持軸に対応する部分に、錘を吊り下げるための透孔を有する錘取り付け板が設けられている、ようにしてもよい。
【００１５】
この構成によれば、透孔を利用して錘を取り付けることにより、四脚を安定させることができる。
【００１６】
また、上記目的を達成するために、本考案は、上記構成の四脚と、前記四脚に装着される竿保持具と、を備えた竿保持セットにおいて、前記竿保持具は、前記四脚の前記支持軸によって回転可能に支持されたホルダと、前記ホルダによって上下方向の傾斜角度が調整可能に支持されたアームと、を備え、前記アームは、後端側に前記釣竿の基端部が係合される後受け部を有し、前端側に前記釣竿の中間部が係合される前受け部を有する、ことを特徴とする。
【００１７】
この構成によれば、四脚と竿保持具とを備えた竿保持セットにおいて、上記四脚と同様の効果を奏することができる。
【００１８】
さらに、上記目的を達成するために、本考案は、上記構成の四脚と、前記四脚に左右方向を向けて装着される棒状の支持部材と、前記支持部材に装着される複数の竿保持具と、を備えた竿保持セットにおいて、前記支持部材は、左右方向の中間部を前記四脚の前記支持軸によって揺動自在に支持されるとともに、前記中間部を基準に振り分けられた位置にそれぞれ立設された複数の副支持軸を有し、前記竿保持具は、前記支持部材の前記副支持軸によって回転可能に支持されたホルダと、前記ホルダによって上下方向の傾斜角度が調整可能に支持されたアームと、を備え、前記アームは、後端側に前記釣竿の基端部が係合される後受け部を有し、前端側に前記釣竿の中間部が係合される前受け部を有する、ことを特徴とする。
【００１９】
この構成によれば、四脚と支持部材と竿保持具とを備えた竿保持セットにおいて、上記四脚と同様の効果を奏することができる。
【考案の効果】
【００２０】
本考案によれば、前側に倒れにくくした四脚を提供することができる。
【図面の簡単な説明】
【００２１】
【図１】竿保持具２が装着され、４本の脚部４０が開かれた状態の四脚１を示す斜視図である。
【図２】（Ａ）は４本の脚部４０が閉じられた状態の四脚１の正面図、（Ｂ）は同じく背面図である。
【図３】４本の脚部４０が閉じられた状態の四脚１の斜視図である。
【図４】（Ａ）はベース板１０の上面図であり、（Ｂ）はベース板１０の下面図である。
【図５】前の脚部４０Ａと後の脚部４０Ｂの全長Ｌを同じにして、設置面Ｓにセットした場合の四脚１を模式的に示す右側面図である。
【図６】前の脚部４０Ａを最大長Ａ・Ｌｍａｘとし、後の脚部４０ＢをＢ・Ｌｍａｘとして、設置面Ｓにセットした場合の四脚１を模式的に示す右側面図である。
【図７】四脚１に装着される竿保持具２を前側斜め下方から見た斜視図である。
【図８】四脚１に対して複数の竿保持具２を装着するために使用する支持部材３を示す斜視図である。
【図９】支持部材３に、複数の竿保持具２を装着した状態を示す斜視図である。
【考案を実施するための形態】
【００２２】
以下、本考案の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２３】
図１〜図９を参照して本考案を適用した実施形態１に係る四脚１について説明する。
【００２４】
ここで、図１は、釣竿Ｆ（二点鎖線参照）を保持した竿保持具２が装着され、４本の脚部４０が開かれた状態の四脚１を示す斜視図である。図２（Ａ）は４本の脚部４０が閉じられた状態の四脚１の正面図、（Ｂ）は同じく背面図である。図３は、４本の脚部４０が閉じられた状態の四脚１の斜視図である。
【００２５】
四脚１は、図１〜図３に示すように、ベース板１０と、４個の規制部材２０と、支持軸３０と、４本の脚部４０とを備えて構成されている。
【００２６】
図４（Ａ）はベース板１０の上面図であり、（Ｂ）はベース板１０の下面図である。なお、図４（Ａ），（Ｂ），図５，図６中に矢印で示す前後左右上下は、ベース板１０，四脚１等の前後左右上下の方向を示している。
【００２７】
ベース板１０は、図３，図４に示すように、略矩形の板状に形成されていて、前部１１は平らに形成され、後部１２は後端側が高くなるように屈曲されている。前部１１の表面は平坦面１１ａとなり、後部１２の表面は、平坦面１１ａの後方に連続する傾斜面１２ａとなっている。傾斜面１２ａは、例えば、平坦面１１ａに対して１５度程度の傾斜角度をもって形成されている。前部１１における裏面１１ｂには、後述する４個の規制部材２０が取り付けられている。後部１２における表面の傾斜面１２ａには、後述する支持軸３０が立設され、また裏面１２ｂには、錘取り付け板１３が設けられている。錘取り付け板１３は、錘（不図示）に連結された紐（不図示）等を通すための透孔１３ａが穿設されている。この透孔１３ａの位置は、後述する支持軸３０に略対応している。
【００２８】
４個の規制部材２０は、ベース板１０の前部１１の裏面１１ｂに固定されている。規制部材２０は、図４（Ａ）に示すように、相互に対向する一対の対向壁２０ａと、これらの一方の端部を連結する連結壁２０ｂとを有していて、下方から見た形状が「コ」字形に形成されている。規制部材２０は、それぞれの開口部を４個の規制部材２０の中心Ｃ側に向けるようにして配置されている。つまり、４個の規制部材２０のうち、２個の前の規制部材２０は、右及び左斜め前方に向けて配置され、２個の後の規制部材２０は、右及び左斜め後方に向けて配置されている。さらに、左の規制部材２０と右の規制部材２０とは隣接するように配置されているが、前の規制部材２０と後の規制部材２０とは、距離を隔てて配置されている。このように前後方向の距離を確保することにより、ベース板１０の前部１１が後述するように前後方向に傾斜した際に、４本の脚部４０がベース板１０を確実に支持できるようになっている。ベース板１０は、例えば、ステンレス等の鋼板を所定の形状に形成して、プレス等により、後部１２を屈曲させて形成することができる。
【００２９】
規制部材２０は、一方の対向壁２０ａから他方の対向壁２０ａに至るピン２０ｃが設けられていて、このピン２０ｃが脚部４０の基端部（主脚４１の基端部）を貫通することにより、脚部４０全体を揺動自在に支持している。また、連結壁２０ｂは、脚部４０が開かれたときに、連結壁２０ｂの下端２０ｄ（図１参照）に脚部４０の基端側の一部が当接することにより、脚部４０の開放限度を規制している。つまり、連結壁２０ｂの下端２０ｄは、ストッパとして作用する。規制部材２０は、例えば、ステンレス等の鋼板を、屈曲させて形成することができる。
【００３０】
支持軸３０は、図３，図４に示すように、ベース板１０に立設されている。支持軸３０は、ベース板１０の後部１２表面の傾斜面１２ａにおける左右方向の中心で後端側の位置に、傾斜面１２ａに対して垂直に立設されている。支持軸３０は、円柱状に形成されていて、上側の外周には、母線に沿った溝が周方向に多数形成されて回り止め３０ａを構成している。この支持軸３０には、後述するように、釣竿Fを保持する竿保持具２が装着され、竿保持具２及び釣竿Fの重量がかかることになる。
【００３１】
４本の脚部４０は、その基端側が上述の規制部材２０によって揺動自在に支持されている。図１〜図３に示すように、脚部４０は、主脚４１と補助脚４２と調整ねじ（ロック部材）４３とを有している。主脚４１は、四角筒状に形成されていて、その基端部４１ａが、上述の規制部材２０のピン２０ｃによって揺動自在に支持されている。４本の主脚４１は同形、すなわち同じ太さで同じ長さに形成されている。補助脚４２は、主脚４１によってスライド可能に支持されている。補助脚４２は、主脚４１によってガイドされた状態で、主脚４１の先端４１ｂから出入りでき、突出長さＴを変更することができるようになっている。ここで、突出長さＴとは、主脚４１の先端４１ｂから突出状態の補助脚４２の先端４２ａまでの距離とする。この突出長さＴが変化することにより、脚部４０の全長Ｌが変化する。ここで、脚部４０の全長とは、主脚４１の基端から補助脚４２の先端４２ａまでの距離とする。主脚４１の先端４１ｂ近傍には、ロック部材としての調整ねじ４３が取り付けられている。調整ねじ４３は、主脚４１を貫通する雌ねじ（不図示）に螺合されていて、その先端を四角筒状の主脚４１の内側に突出させている。調整ねじ４３は、締め付ける（ロックする）ことにより、その先端が補助脚４２を押圧し、主脚４１に対して補助脚４２を固定して、補助脚４２のスライド動作を禁止する。一方、調整ねじ４３は、緩める（アンロックする）ことにより、その先端が補助脚４２の押圧を解除し、補助脚４２のスライド動作を許容する。
【００３２】
ここで、補助脚４２の基端側で主脚４１に挿入されている部分には、凸状のストッパ（不図示）が設けてあって、補助脚４２の突出長さＴを長くしていくと、最終的にこのストッパが調整ねじ４３の先端に当接して補助脚４２がそれ以上突出することができないようになっている。このときの補助脚４２の突出長さＴが、最大突出長さＴｍａｘ（図６参照）となる。本実施形態では、４本の脚部４０を、２本の前の脚部４０Ａと、２本の後の脚部４０Ｂとに分けたときに、上述の最大突出長さＴｍａｘについて、前の脚部４０Ａの補助脚４２の最大突出長さＡ・Ｔｍａｘが、後の脚部４０Ｂの補助脚４２の最大突出長さＢ・Ｔｍａｘよりも長くなるように構成されている。これにより、脚部４０Ａの全長Ｌの最大長をＬｍａｘとしたときに、前の脚部４０Ａの最大長Ａ・Ｌｍａｘが、後の脚部４０Ｂの最大長Ｂ・Ｌｍａｘよりも長くなるようにした。本実施形態に係る四脚１は、前の脚部４０Ａ、後の脚部４０Ｂをそれぞれ最大長Ａ・Ｌｍａｘ、最大長Ｂ・Ｌｍａｘとしたときに、四脚１全体がベストなポジションとなるように構成されている。この点については後に詳述する。
【００３３】
図７は、四脚１に装着される竿保持具２を前側斜め下方から見た斜視図である。竿保持具２は、四脚１とともに、竿保持セットを構成するものである。
竿保持具２は、四脚１の支持軸３０によって回転自在に支持されるホルダ５０と、このホルダ５０によって、揺動可能に支持されたアーム６０とを備えている。
【００３４】
ホルダ５０は、支持軸３０に係合される円筒状の取付け部材５１とその上端に固定されたブロック状のホルダ本体５２とを有している。
【００３５】
取付け部材５１には、雌ねじ５３が貫通されていて、この雌ねじ５３に螺合されたロック部材５４を占めることにより、ホルダ５０を支持軸３０に固定し、緩めることで、支持軸３０に対するホルダ５０の回転を可能にする。
【００３６】
ホルダ本体５２は、上面に、アーム６０が収まる溝５５が前後方向に向けて形成されている。ホルダ本体５２には、前端側の下方から上下角度調整ボルト５６が螺合されていて、その先端が溝５５から突出されてアーム６０の下面に当接されている。また、ホルダ本体５２の後端側上部には、溝５５を横切るように左右方向に揺動軸５７が配設されていて、アーム６０を揺動自在に支持している。上下角度調整ボルト５６は、締め付けると、溝５５に対する先端の突出量が増加して、アーム６０の先端側を上に押し上げる。逆に、緩めると、溝５５に対する先端の突出量が減少して、アーム６０の先端側を下方に下げることになる。
【００３７】
アーム６０は、角棒状のアーム本体６１とこのアーム本体６１の後端に上から重ねるように配置された角棒状の補助アーム６２とを有している。アーム本体６１は、前端側に、「Ｕ」字形に形成されて釣竿Ｆ（図１参照）の中間部を下方から支持する前受け具６３を有し、中間部に操作用のグリップ６４が固定されており、後端側が上述の揺動軸５７によって揺動自在に支持されている。補助アーム６２は、後部に、釣竿Ｆの基端部が挿入される環状の後受け具６５を有し、この後受け具６５のさらに後側に釣竿Ｆの基端縁が当接されるストッパ６６を有している。アーム本体６１の後端側及び補助アーム６２の先端側は、四角筒状の締結部材６７に通されていて、この締結部材６７に螺合されたロックねじ６８を締めつけることで補助アーム６２がアーム本体６１に固定される。一方、ロックねじ６８を緩めることで、補助アーム６２を前後方向に移動させて、アーム６０全体の長さ調整を行うことが可能となる。
【００３８】
竿保持具２は、釣竿Ｆを保持した状態で、ホルダ５０の取付け部材５１を四脚１側の支持軸３０に係合することで、四脚１に装着される。竿保持具２は、この装着状態で、四脚１に対して回動自在（実質的には、略左右方向に揺動自在）であり、アーム６０が上下角度調整自在で、かつ長さ調整自在となっている。
【００３９】
図８は、四脚１に対して複数の竿保持具２を装着するために使用する支持部材３を示す斜視図である。四脚１と竿保持具２と支持部材３とによって竿保持セットを構成することができる。
【００４０】
支持部材３は、角棒状の部材によって形成された本体７０を有しており、本体７０の長手方向（左右方向）の中心には、円筒状の取付け部材７１が下向きに設けられている。この取付け部材７１が四脚１の支持軸３０に回転可能に係合されている。取付け部材７１には雌ねじ７２が形成されていて、この雌ねじ７２にロック部材７３を締め込むことにより、その先端が支持軸３０を押圧することで、支持部材７０全体を四脚１に固定する。本体７０の中心から振り分けられた位置、すなわち、本体７０の長手方向の両端には、それぞれ、四脚１の支持軸３０と同様の補助支持軸７４が立設されている。補助支持軸７４は、取付け部材７１の中心軸に対して平行に形成されている。これら補助支持軸７４には、それぞれ竿保持具２が、その取付け部材５１を係合させることで取り付けられる。
【００４１】
図９は、支持部材３に、複数の竿保持具２を装着した状態を示す斜視図である。図９に示すように、支持部材３を使用することにより、複数の竿保持具２を、１つの四脚１に装着することが可能となる。なお、本体７０の長手方向の中心における上面に、補助支持軸７４と同様の補助支持軸（不図示）をさらに追加して立設すれば、合計３つの竿保持具２を取り付けることが可能である。なお、補助支持軸をさらに追加して、４つ以上の竿保持具２を取り付けることも可能となる。
【００４２】
図５，図６を参照して、四脚１、及び竿保持セットの作用効果を説明する。
【００４３】
ここで、図５は、前の脚部４０Ａと後の脚部４０Ｂの全長Ｌを同じにして、設置面Ｓにセットした場合の四脚１を模式的に示す右側面図である。これに対し、図６は、前の脚部４０Ａを最大長Ａ・Ｌｍａｘとし、後の脚部４０Ｂを最大長Ｂ・Ｌｍａｘとして、設置面Ｓにセットした場合の四脚１を模式的に示す右側面図である。
【００４４】
なお、設置面Ｓが岩場等の凹凸の激しい箇所である場合には、凹凸に応じて脚部４０の全長Ｌを適宜調整するものとして、以下では、四脚１をセットする設置面Ｓが、桟橋等の、平坦で硬い場合を例に説明する。
【００４５】
設置面Ｓが平坦である場合、従来は、図５に示すように、まず、前の脚部４０Ａと後の脚部４０Ｂの全長Ｌを同じにして、４本の脚部４０を全開にする。このとき、ベース板１０の平坦面１１ａは、設置面Ｓと略平行になり、傾斜面１２ａは、後上がりに傾斜する。したがって、この傾斜面１２ａに対して垂直な支持軸３０は、垂線に対して、傾斜面の傾斜角度と同じ角度だけ前傾する。この状態で、釣竿Ｆを保持した竿保持具２、または複数の竿保持具２が装着された支持部材３を、支持軸３０に係合させる。その後、脚部４０の調整ねじ４３を緩めたり締め付けたりを繰り返して、補助脚４２の突出長さＴを調整しながら、全体としてバランスのとれたポジションを見つけて決定する。このため、ポジションを決定するまでに多くの時間を要し、また、決定したポジションがベストに近いものであるとは限らない。
【００４６】
これに対して、本実施形態では、図６に示すように、前の脚部４０Ａの全長Ｌを最大長Ａ・Ｌｍａｘにし、後の脚部４０Ｂの全長Ｌを最大長Ｂ・Ｌｍａｘにして、４本の脚部４０を全開にするだけで、補助脚４２の突出長さＴの調整を繰り返すことなく、全体として略ベストのポジションをとるように、全体が構成されている。
【００４７】
すなわち、図６に示すように、前の脚部４０Ａの最大長Ａ・Ｌｍａｘと後の脚部４０Ｂの最大長Ｂ・Ｌｍａｘについて、
Ａ・Ｌｍａｘ＞Ｂ・Ｌｍａｘ
となるので、このことによって、まず、四脚１全体は、前側に倒れにくくなる。また、支持軸３０が、４個の規制部材２０の中心よりも後方に配置されているので、全体の重心が後方に移動して安定する。さらに、例えば、前の脚部４０Ａの最大長Ａ・Ｌｍａｘが、後の脚部４０Ｂの最大長Ｂ・Ｌｍａｘと同じであった場合と比較しても、支持軸３０の位置が下方に下がるので、重心の位置が下方に移動し、全体が安定する。
【００４８】
これらに加え、図６に示す状態では、ベース板１０の平坦面１１ａが後下がりに傾斜し、傾斜面１２ａが略水平になる。つまり、平坦面１１ａに対する傾斜面１２ａの傾斜角度が、この状態で略水平（設置面Ｓに対して略平行）になるように決定されている。さらに、支持軸３０は、傾斜面１２ａに対して垂直に立設されているので、この結果、支持軸３０は、設置面Ｓに対して垂直となる。したがって、この支持軸３０に係合された竿保持具２、あるいは支持部材３は、支持軸３０が垂線に対して傾斜している場合（図５の場合）と異なり、上下方向の不要な移動がなく、水平面上を小さい力で円滑に揺動（回動）することができる。このため、竿保持具２や支持部材３を介しての釣竿Ｆの操作性が向上する。
【符号の説明】
【００４９】
１  四脚
２  竿保持具
３  支持部材
１０  ベース板
１１ａ  平坦面
１１ｂ  ベース板の裏面
１２ａ  傾斜面（ベース板の表面）
１３  錘取り付け板
１３ａ  透孔
２０  規制部材
３０  支持軸
４０  脚部
４０Ａ  前の脚部
４０Ｂ  後の脚部
４１  主脚
４１ａ  主脚の基端部（脚部の基端部）
４１ｂ  主脚の先端
４２  補助脚
４３  調整ねじ（ロック部材）
５０  ホルダ
６０  アーム
６３  前受け具
６５  後行け具
Ｃ  ４個に規制部材の中心
Ｆ  釣竿
Ｌ  脚部の全長
Ｌｍａｘ  脚部の最大長
Ａ・Ｌｍａｘ  前の脚部の最大長
Ｂ・Ｌｍａｘ  後の脚部の最大長
Ｓ  設置面
Ｔ  補助脚の突出長さ
Ａ・Ｔｍａｘ  前の補助脚の最大突出長さ
Ｂ・Ｔｍａｘ  後の補助脚の最大突出長さ
【図１】
0003158482.tif 000003
【図２】
0003158482.tif 000004
【図３】
0003158482.tif 000005
【図４】
0003158482.tif 000006
【図５】
0003158482.tif 000007
【図６】
0003158482.tif 000008
【図７】
0003158482.tif 000009
【図８】
0003158482.tif 000010
【図９】
0003158482.tif 000011